(57)【要約】      （修正有）【課題】大型化することを抑制しつつ、電線の配索スペースを確保した、接続モジュールの提供。【解決手段】電極端子２５を有する蓄電素子２１が複数並んで構成された蓄電素子群２０に組み付けられる接続モジュール３０であって、蓄電素子２１の電極端子２５が接続される複数のバスバ４０と、複数のバスバ４０にそれぞれ接続される複数の電圧検知線ＥＷと、複数のバスバ４０および複数の電圧検知線ＥＷを保持する板状の保持部材８０と備え、保持部材８０は、複数のバスバが保持されるバスバ保持面８０Ｕと、蓄電素子群２０に対向する素子対向面８０Ｄとを有しており、素子対向面８０Ｄには、複数の電圧検知線ＥＷが配される電線配索路１１０が設けられている構成とした接続モジュール３０。【選択図】図３
2020009582.tif 000002
【特許請求の範囲】
【請求項１】
電極端子を有する蓄電素子が複数並んで構成された蓄電素子群に組み付けられる接続モジュールであって、
前記蓄電素子の前記電極端子が接続される複数のバスバと、
前記複数のバスバにそれぞれ接続される複数の電線と、
前記複数のバスバおよび前記複数の電線を保持する板状の保持部材と備え、
前記保持部材の一方の面は、前記複数のバスバが保持されるバスバ保持面とされ、
前記保持部材の一方の面とは反対側の他方の面は、前記蓄電素子群に対向する素子対向面とされており、
前記素子対向面には、前記複数の電線が配される電線配索路が設けられている接続モジュール。
【請求項２】
前記電線配索路は、前記蓄電素子群側に開口しており、
前記複数の電線は、前記保持部材の側部において側方に開口した側部配索路を通って前記バスバ保持面と前記素子対向面との間に配索されている請求項１に記載の接続モジュール。
【請求項３】
前記側部配索路の開口縁には、開口方向と交差する方向に突出して形成され、前記電線に当接して前記電線が側部配索路からはみ出すことを規制する規制部が設けられている請求項２に記載の接続モジュール。
【請求項４】
前記側部配索路は、前記保持部材の両側縁部に設けられている請求項２または請求項３に記載の接続モジュール。
【請求項５】
前記バスバには、隣り合う前記蓄電素子の前記電極端子が当該バスバの側縁部に沿うように配されて接続されており、
前記電線配索路は、前記保持部材において前記複数のバスバのうちの一部の前記バスバが配される部分の裏側に設けられている請求項１から請求項４のいずれか一項に記載の接続モジュール。
【請求項６】
前記電線配索路は、前記複数の電線のうちの一部の前記電線が配索される幅狭配索路と、前記幅狭配索路よりも拡幅して設けられ、一部の前記電線と共に、前記複数の電線のうちの他の前記電線の余長が配索される幅広配索部とを有している請求項１から請求項５のいずれか一項に記載の接続モジュール。
【請求項７】
前記蓄電素子は、蓄電要素を樹脂製のフィルムによって包んで端縁を接合した素子本体と、前記素子本体の一端縁から導出された電極端子と、前記素子本体の端縁において前記フィルムと前記電極端子とが接合された接合部とを有しており、
前記電線配索路は、前記蓄電素子群において隣り合う前記蓄電素子の前記接合部間に配されている請求項１から請求項６のいずれか一項に記載の接続モジュール。
【請求項８】
電極端子を有する蓄電素子が複数並んで構成された蓄電素子群と、
前記蓄電素子群に組み付けられる接続モジュールとを備えた蓄電モジュールであって、
前記蓄電素子の前記電極端子が接続される複数のバスバと、
前記複数のバスバにそれぞれ接続される複数の電線と、
前記複数のバスバおよび前記複数の電線を保持する板状の保持部材と備え、
前記保持部材の一方の面は、前記複数のバスバが保持されるバスバ保持面とされ、
前記保持部材の一方の面とは反対側の他方の面は、前記蓄電素子群に対向する素子対向面とされており、
前記素子対向面には、前記複数の電線が配される電線配索路が設けられている蓄電モジュール。
【発明の詳細な説明】
【技術分野】
【０００１】
本明細書によって開示される技術は、接続モジュールおよび蓄電モジュールに関する。
【背景技術】
【０００２】
例えば、複数の電池セルで構成された電池パック本体に取り付けられる高電圧検出モジュール装置として、特開２０１０−１１４０２５号公報（下記特許文献１）に記載のものが知られている。この高電圧検出モジュール装置は、電池セル同士を接続する複数のバスバと、複数のバスバの電圧を検知するための複数本の導体線を有するフラットケーブルと、複数のバスバおよびフラットケーブルとを保持して電池パック本体に組み付けられる絶縁枠体とを備えている。複数のバスバは、絶縁枠体の上面に配置固定されており、フラットケーブルは、複数本の導体線を各バスバにそれぞれ接続した状態で、絶縁枠体の上面におけるバスバの配設領域以外の領域に配置固定されている。
【先行技術文献】
【特許文献】
【０００３】
【特許文献１】特開２０１０−１１４０２５号公報
【発明の概要】
【発明が解決しようとする課題】
【０００４】
ところで、近年、電池パック全体の小型化が進んでいるため、上記の高電圧検出モジュール装置とは異なり、バスバを保持する保持部材の上面において、バスバの電圧を検知するための電線を配索するスペースが減少している。また、バスバの数が増加する場合には、バスバに接続するための電線の本数も増加するため、電線を配索するためのスペースが確保できなくなってしまう。
【０００５】
本明細書では、接続モジュールが大型化することを抑制しつつ、電線の配索スペースを確保する技術を開示する。
【課題を解決するための手段】
【０００６】
本明細書によって開示される技術は、電極端子を有する蓄電素子が複数並んで構成された蓄電素子群に組み付けられる接続モジュールであって、前記蓄電素子の前記電極端子が接続される複数のバスバと、前記複数のバスバにそれぞれ接続される複数の電線と、前記複数のバスバおよび前記複数の電線を保持する板状の保持部材と備え、前記保持部材の一方の面は、前記複数のバスバが保持されるバスバ保持面とされ、前記保持部材の一方の面とは反対側の他方の面は、前記蓄電素子群に対向する素子対向面とされており、前記素子対向面には、前記複数の電線が配される電線配索路が設けられている構成とした。
【０００７】
また、本明細書によって開示される技術は、電極端子を有する蓄電素子が複数並んで構成された蓄電素子群と、前記蓄電素子群に組み付けられる接続モジュールとを備えた蓄電モジュールであって、前記蓄電素子の前記電極端子が接続される複数のバスバと、前記複数のバスバにそれぞれ接続される複数の電線と、前記複数のバスバおよび前記複数の電線を保持する板状の保持部材と備え、前記保持部材の一方の面は、前記複数のバスバが保持されるバスバ保持面とされ、前記保持部材の一方の面とは反対側の他方の面は、前記蓄電素子群に対向する素子対向面とされており、前記素子対向面には、前記複数の電線が配される電線配索路が設けられている構成とした。
【０００８】
このような構成の接続モジュールおよび蓄電モジュールによると、保持部材の素子対向面に複数の電線を配索する電線配索路が設けられているから、保持部材のバスバ保持面において電線を配索するスペースが確保できない場合においても、接続モジュールが大型化することを抑制しつつ、電線の配索スペースを確保することができる。
【０００９】
本明細書によって開示される接続モジュールは、以下の構成としてもよい。
前記電線配索路は、前記蓄電素子群側に開口しており、前記複数の電線は、前記保持部材の側部において側方に開口した側部配索路を通って前記バスバ保持面と前記素子対向面との間に配索されている構成としてもよい。
【００１０】
例えば、保持部材に対して側方に開口を有さないように貫通して設けられた丸孔状の側部配索路の場合、電線を先通しするなど保持部材に対して電線を予め配索しておく必要がある。
ところが、上記のような構成によると、保持部材に対する電線の配索作業を容易にすることができる。また、保持部材においてバスバを組み付けた後に電線を配索路に組み付けることができるから、組み立て作業性に優れる。
【００１１】
前記側部配索路の開口縁には、開口方向と交差する方向に突出して形成され、前記電線に当接して前記電線が側部配索路からはみ出すことを規制する規制部が設けられている構成とした。
【００１２】
板状の保持部材の側部に設けられた側部配索路に複数の電線を配索する場合、各電線を急な角度で屈曲させることになり、電線の反力によって側部配索路から電線がはみ出すことが懸念される。しかしながら、上記の構成によると、側部配索路の開口縁には規制部が設けられているから、側部配索路の開口から電線がはみ出すことを抑制することができる。
【００１３】
前記側部配索路は、前記保持部材の両側縁部に設けられている構成とした。
このような構成によると、保持部材において一側に配されたバスバに接続された電線は、一側の側部配索路を通して電線配索路に配索でき、保持部材において他側に配されたバスバに接続された電線は、他側の側部配索路を通して電線配索路に配索できる。すなわち、バスバ保持面に配索される電線の配索スペースを極力少なくすることができるから、接続モジュールが大型化することをさらに抑制することができる。
【００１４】
前記バスバには、隣り合う前記蓄電素子の前記電極端子が当該バスバの側縁部に沿うように配されて接続されており、前記電線配索路は、前記保持部材において前記複数のバスバのうちの一部の前記バスバが配される部分の裏側に設けられている構成としてもよい。
【００１５】
保持部材において、隣り合う蓄電素子の電極端子が接続されるバスバが配される部分の裏側は、保持部材において本来であればデッドスペースとなってしまう。ところが、上記のような構成によると、本来であればデッドスペースとなる領域（バスバが配される部分の裏側）に電線配索路が設けられているから、電線を配索しつつ、接続モジュールが大型化することを抑制することができる。
【００１６】
前記電線配索路は、前記複数の電線のうちの一部の前記電線が配索される小径配索路と、前記幅狭配索路よりも拡幅して設けられ、一部の前記電線と共に、前記複数の電線のうちの他の前記電線の余長が配索される幅広配索部とを有している構成としてもよい。
【００１７】
一般に、芯線を被覆で覆った電線の端末において被覆を剥いで芯線を露出させるためには、所定の電線長（最低電線長）を確保する必要がある。しかしながら、最低電線長を確保すると、保持部材において必要とされる電線長よりも長くなる場合がある。ところが、上記の構成によると、電線配索路は、電線の余長を配索可能な幅広配索部を有しているから、電線の余長が保持部材のバスバ保持面に配索されることを防ぎ、接続モジュールが大型化することを抑制することができる。
【００１８】
前記蓄電素子は、蓄電要素を樹脂製のフィルムによって包んで端縁を接合した素子本体と、前記素子本体の一端縁から導出された電極端子と、前記素子本体の端縁において前記フィルムと前記電極端子とが接合された接合部とを有しており、前記電線配索路は、前記蓄電素子群において隣り合う前記蓄電素子の前記接合部間に配されている構成としてもよい。
【００１９】
蓄電素子の素子本体の端縁において電極端子が導出された部分に接合部が設けられている場合には、隣り合う蓄電素子における接合部の間は、本来であればデッドスペースとなってしまう。ところが、上記の構成によると、隣り合う前記蓄電素子の前記接合部間に電線配索路が設けられている。つまり、本来であればデッドスペースとなる領域に電線配索路を設けているから、電線を配索しつつ、接続モジュールが大型化することを抑制することができる。
【発明の効果】
【００２０】
本明細書によって開示される技術によれば、接続モジュールが大型化することを抑制しつつ、電線の配索スペースを確保することができる。
【図面の簡単な説明】
【００２１】
【図１】蓄電モジュールの斜視図
【図２】蓄電モジュールの平面図
【図３】図２のＡ−Ａ線断面図
【図４】電池管理用基板を組み付けた接続モジュールの斜視図
【図５】接続モジュールを上下反転させた状態を示す斜視図
【図６】接続モジュールの底面図
【図７】保持部材の平面図
【図８】保持部材の底面図
【発明を実施するための形態】
【００２２】
＜実施形態＞
本明細書に開示された技術における一実施形態について図１から図８を参照して説明する。
本実施形態は、車両に搭載されるエンジン始動用の低圧の蓄電モジュール１０を例示している。蓄電モジュール１０は、複数の蓄電素子２１によって構成される蓄電素子群２０と、蓄電素子群２０に組み付けられる接続モジュール３０と、蓄電素子群２０が内部に収容されて接続モジュール３０が上部に固定されるケースＣとを備えて構成されている。
【００２３】
蓄電素子２１は、ラミネート型の電池であり、全体として扁平な直方体状に構成されている。各蓄電素子２１は、図３に示すように、蓄電要素２２を合成樹脂製のラミネートフィルム２３によって包むとともにラミネートフィルム２３の端縁を溶着により接合した素子本体２４と、蓄電要素２２に接続されるとともに素子本体２４の一端縁である上端縁から上方に導出された一対の電極端子２５とを備えて構成されている。一対の電極端子２５は、それぞれが箔状に形成されており、図１、図２および図３に示すように、一方が正極端子２５Ｐとされ、他方が負極端子２５Ｎとされている。
【００２４】
また、各電極端子２５においてラミネートフィルム２３の上端縁が配された部分は、図３に示すように、電極端子２５とラミネートフィルム２３とが溶着した接合部２６とされている。
接合部２６は、蓄電要素２２の上面に立設した形態とされており、接合部２６の高さ寸法は、接合部２６の上面から延出された電極端子２５の長さ寸法よりも大きく設定されている。
【００２５】
また、各蓄電素子２１は、図３に示すように、電極端子２５が隣り合うように前後方向に複数（本実施形態では４つ）重ねて並べることにより蓄電素子群２０を構成している。互いに隣り合う蓄電素子２１は、互いに異なる極性の電極端子２５が隣り合うように（一の蓄電素子２１の正極端子２５Ｐと、これと隣り合う他の蓄電素子２１の負極端子２５Ｎとが互いに隣り合うように）配置されている。
【００２６】
ケースＣは、合成樹脂製であって、図１に示すように、上方に向かって開口する箱形状に形成されている。ケースＣ内には、蓄電素子群２０が上端開口から完全に収容されており、接続モジュール３０が、図１および図２に示すように、蓄電素子群２０が収容されたケースＣの上端開口を塞ぐようにケースＣに組み付けられている。
【００２７】
接続モジュール３０は、図１から図８に示すように、全体としては前後方向よりも左右方向に長い形態をなしており、蓄電素子２１の電極端子２５に接続される複数のバスバ４０と、複数のバスバ４０にそれぞれ接続される複数の電圧検知線Ｗと、複数のバスバ４０および複数の電圧検知線Ｗを保持する保持部材８０とを備えている。
【００２８】
バスバ４０は、例えば、銅、銅合金、アルミニウム、アルミニウム合金、ステンレス鋼（ＳＵＳ）などの導電性に優れた金属板や、アルミニウム板と銅板とを貼り合せた金属板などをプレス加工するなどして形成されている。
【００２９】
複数のバスバ４０は、隣り合う蓄電素子２１の電極端子２５同士を接続する複数の接続バスバ５０と、蓄電素子２１の電極端子２５に接続されて蓄電素子群２０の電力を出力する複数の出力バスバ６０とを含んでいる。本実施形態では、接続バスバ５０は、アルミニウム板と銅板とによって構成された、いわゆるクラッド材によって形成されており、出力バスバ６０は、出力する極性に合わせて金属板が選択される。
【００３０】
接続バスバ５０は、図１および図２に示すように、接続モジュール３０の一方側である右側に配された２つと、他方側である左側の前後方向略中央部に配された１つの合計３箇所に配置されている。右側配された接続バスバ５０は、隣り合う蓄電素子２１の右側の電極端子２５同士を接続する接続バスバ５０とされ、左側配された接続バスバ５０は、隣り合う蓄電素子２１の左側の電極端子２５同士を接続する接続バスバ５０とされている。
【００３１】
各接続バスバ５０は、長い略矩形状の平板状をなすバスバ本体５１を有しており、バスバ本体５１の前後方向両側の側縁部には、前後方向に隣り合う蓄電素子２１の電極端子２５が上方から載置されて溶接等によって電気的に接続されるようになっている。また、バスバ本体５１における左右方向の両端部には、外方に向かって突出する係止突部５２と、バスバ本体５１に凹状に設けられた係止凹部５３とが設けられている。
【００３２】
また、各接続バスバ５０における左右方向の一方の端部には、図２に示すように、電圧検知線Ｗが接続される電線接続部５４が設けられている。
電線接続部５４は、電圧検知線Ｗの端末が載置される電線載置部５５と、後述する電圧検知線Ｗの被覆Ｗ２が圧着される圧着部５６とを有している。
【００３３】
電線載置部５５は、接続バスバ５０のバスバ本体５１から側方に向かって略矩形平板状に突出した形態をなしており、電線載置部５５の突出端に圧着部５６が設けられている。電線載置部５５に後述する電圧検知線Ｗの芯線Ｗ１を露出させた状態で載置すると共に、圧着部５６を被覆Ｗ２に圧着し、芯線Ｗ１を電線載置部５５に溶接等によって接続することで、電圧検知線Ｗが接続バスバ５０に電気的に接続された状態で保持されている。
【００３４】
出力バスバ６０は、図１および図２に示すように、接続モジュール３０の左側における前後方向両端部の２箇所に配置されている。出力バスバ６０は、接続バスバ５０に比べて左右方向に長い形態とされており、出力バスバ６０の左右方向両端部には、外方に向かって突出する係止突部６２と、凹状に設けられた係止凹部６３とが設けられている。
【００３５】
前側の出力バスバ６０は、接続バスバ５０よりも右側に延出された前側締結部６４を有することで左右方向に長い形態とされている。前側の出力バスバ６０の前側締結部６４よりも左側の部分は、バスバ本体６１とされ、バスバ本体６１の前側縁部に、蓄電素子２１の電極端子２５が上方から載置されて溶接等によって電気的に接続されるようになっている。
【００３６】
後側の出力バスバ６０は、接続バスバ５０よりも左側に延出された後側締結部６５を有することで左右方向に長い形態とされている。後側の出力バスバ６０の後側締結部６５よりも右側の部分は、バスバ本体６１とされ、バスバ本体６１の後側縁部に、蓄電素子２１の電極端子２５が上方から載置されて溶接等によって電気的に接続されるようになっている。
【００３７】
また、各出力バスバ６０におけるバスバ本体６１の側縁部には、図２に示すように、２本の電圧検知線Ｗが接続可能とされている。バスバ本体６１において電圧検知線Ｗが接続される部分の側縁部には、被覆圧着部６６が設けられている。
【００３８】
バスバ本体６１の側縁部に２本の電圧検知線Ｗの芯線Ｗ１を露出させた状態で載置する共に、被覆圧着部６６によって被覆Ｗ２を一括して圧着し、芯線Ｗ１をバスバ本体６１の側縁部に溶接等によって接続することで、２本の電圧検知線Ｗが出力バスバ６０に電気的に接続された状態で保持されている。
【００３９】
電圧検知線Ｗは、図２に示すように、導電性に優れた芯線Ｗ１を、絶縁性を有する被覆Ｗ２によって覆った形態をなしている。電圧検知線Ｗは、いずれも一方の端部が接続バスバ５０の電線接続部５４もしくは出力バスバ６０のバスバ本体６１に接続されており、他方の端部が保持部材８０の左側上部においてコネクタＣＮを介して電池管理用基板Ｐに接続されている。これにより、各バスバ４０を通じて蓄電素子２１の電圧が電池管理用基板Ｐに取り込まれ、各蓄電素子２１の電圧を検知することができるようになっている。
【００４０】
保持部材８０は、合成樹脂製であって、図２から図８に示すように、やや厚みのある略矩形状をなしている。保持部材８０の表裏両面のうちの一方の面（表面）は、複数のバスバ４０を保持するバスバ保持面８０Ｕとされており、バスバ保持面８０Ｕとは反対側の他方の面（裏面）は、蓄電素子群２０と対向して配される素子対向面８０Ｄとされている。
【００４１】
バスバ保持面８０Ｕには、接続バスバ５０を保持する複数の接続バスバ保持部８２と、出力バスバ６０を保持する複数の出力バスバ保持部９０が設けられている。
本実施形態では、保持部材８０の左右方向略中央部よりも一方側（図２の右側）である右側に２つの接続バスバ保持部８２が前後方向に並列して配置されており、保持部材８０の左右方向略中央部よりも他方側（図２の左側）である左側の前後方向略中央部に１つの接続バスバ保持部８２が設けられている。
【００４２】
また、保持部材８０の左側の接続バスバ保持部８２の前後方向両側には、２つの出力バスバ保持部９０が接続バスバ保持部８２と前後方向に並列して配置されている。
【００４３】
接続バスバ保持部８２は、図２および図６に示すように、接続バスバ５０が載置されるバスバ載置部８３と、バスバ載置部８３の前後方向両側に設けられた一対の挿通孔８４と、接続バスバ５０の係止突部５２と係止するバスバ受部８５と、接続バスバ５０の係止凹部５３の縁部と係止するバスバ嵌合片８６とを備えている。
バスバ載置部８３は、平面視略矩形状をなし、バスバ載置部８３の前後左右の長さ寸法は、接続バスバ５０の前後左右の長さ寸法とほぼ同じ大きさに設定されている。
【００４４】
一対の挿通孔８４は、それぞれが保持部材８０を板厚方向である上下方向に貫通した形態とされており、バスバ載置部８３の前後両側縁に沿うようにして形成されている。各挿通孔８４には、接続モジュール３０をケースＣに組み付けた際に、ケースＣ内に配された蓄電素子群２０の電極端子２５が下方から挿通されるようになっている。挿通孔８４に挿通された電極端子２５は、図１および図２に示すように、接続バスバ５０側に折り曲げられてバスバ本体５１上に載置され、各接続バスバ５０のバスバ本体５１に接続されている。
【００４５】
つまり、蓄電素子群２０の前から２つの蓄電素子２１における右側の電極端子２５が右前に配された接続バスバ５０と、蓄電素子群２０の前から２番目と３番目の蓄電素子２１における左側の電極端子２５が左側に配された接続バスバ５０と、蓄電素子群２０の後から２つの蓄電素子２１における右側の電極端子２５が右後に配された接続バスバ５０と接続されることで、蓄電素子群２０における全ての蓄電素子２１が直列に接続されるようになっている。
【００４６】
また、全ての蓄電素子２１が直列に接続されると、前側の出力バスバ６０および後側の出力バスバ６０のそれぞれが、蓄電素子群２０の正極もしくは負極の何れか一方の電力を出力する出力バスバ６０となる。
【００４７】
バスバ受部８５は、保持部材８０のバスバ保持面８０Ｕから上方に突出した形態をなしている。バスバ受部８５は、バスバ載置部８３に接続バスバ５０が載置されると、接続バスバ５０の係止突部５２がバスバ載置部８３側からバスバ受部８５に嵌まり込むことにより、接続バスバ５０の係止突部５２を係止するようになっている。
【００４８】
バスバ嵌合片８６は、保持部材８０のバスバ保持面８０Ｕから立ち上がった形態をなしている。バスバ嵌合片８６は、バスバ載置部８３に接続バスバ５０が載置されると、接続バスバ５０の係止凹部５３内に嵌合することで、接続バスバ５０の係止凹部５３の縁部を係止し、バスバ受部８５と共に接続バスバ５０が接続バスバ保持部８２から離脱することを規制する。これにより、接続バスバ５０が保持部材８０によって保持されるようになっている。
【００４９】
出力バスバ保持部９０は、図２に示すように、出力バスバ６０のバスバ本体６１が載置される出力バスバ載置部９１と、出力バスバ載置部９１の前後方向両側に設けられた一対の挿通孔９２と、出力バスバ６０の係止突部６２と係止するバスバ受部９３と、出力バスバ６０の係止凹部６３の縁部と係止するバスバ嵌合片９４とを備えている。なお、出力バスバ保持部９０は、出力バスバ載置部９１が接続バスバ保持部８２に比べて左右方向に大きく形成されているものの、その他の部分は接続バスバ保持部８２とほぼ同じ構成であるため、説明を省略する。
【００５０】
また、保持部材８０における左右方向略中央部は、図２に示すように、ヒューズ７０が取り付けられている。
ヒューズ７０は、平面視略矩形状のヒューズ本体７１と、ヒューズ本体７１の前後方向の両側面に設けられた一対のリード部７２と、ヒューズ本体７１の右側面に設けられた制御リード部７３とを備えて構成されている。
【００５１】
ヒューズ本体７１は、一対のリード部７２間に流れる電流が定格以上となった場合に、内部の金属を溶断させ、一対のリード部７２間の電流を遮断する。また、ヒューズ本体７１は、制御リード部７３が加熱されることにより、内部の金属を溶断させ、一対のリード部７２間の電流を遮断するようになっている。
【００５２】
一対のリード部７２は、いずれも平板状に形成されており、一方が前側の出力バスバ６０の前側締結部６４にねじ止めされ、他方が後側の出力バスバ６０における後側締結部６５にねじ止めされている。
【００５３】
制御リード部７３は平板状に形成されており、制御リード部７３は、コネクタＣＮを介して電池管理用基板Ｐに接続された制御線Ｌの丸形端子Ｔにねじ止めされることで電池管理用基板Ｐに接続されている。そして、電池管理用基板Ｐから制御線Ｌを通じて制御リード部７３が加熱されることで、ヒューズ本体７１内部の金属が溶断され、一対のリード部７２間の電流が遮断されるようになっている。
【００５４】
さて、保持部材８０には、図３、図５および図６に示すように、バスバ保持面８０Ｕと素子対向面８０Ｄとの間において電圧検知線Ｗおよび制御線Ｌを配索するための一対の側部配索路１００が設けられており、保持部材８０の素子対向面８０Ｄには、側部配索路１００を通して素子対向面８０Ｄ側に案内された電圧検知線Ｗと制御線Ｌとを素子対向面８０Ｄにおいて配索する電線配索路１１０が設けられている。
【００５５】
一対の側部配索路１００は、図３、図５、図６および図８に示すように、保持部材８０の左右方向の側縁部に設けられている。各側部配索路１００は、保持部材８０においてバスバ保持面８０Ｕと素子対向面８０Ｄとに開口すると共に側方に開口する形態とされている。言い換えると、各側部配索路１００は、図７に示すように、保持部材８０の左右方向の側縁部を略Ｕ字状に切り欠いた形態とされている。
【００５６】
右側に配された側部配索路１００は、図２および図６に示すように、保持部材８０の右側に配された接続バスバ５０から延びる２本の電圧検知線Ｗと、ヒューズ７０の制御リード部７３から延びる制御線Ｌの合計３本の電線ＥＷを、保持部材８０のバスバ保持面８０Ｕから素子対向面８０Ｄ側に向かって配索する右側部配索路１００Ｒとされており、右側部配索路１００Ｒの側方開口縁１０１には、右側部配索路１００Ｒ内に配される３本の電線ＥＷが当接することで側方にはみ出すことを規制する規制片（「規制部」の一例）１０２が設けられている。
【００５７】
規制片１０２は、前側の側方開口縁１０１Ｆから後側の側方開口縁１０１Ｒに（開口方向と交差する方向である前後方向）に向かって突出した形態をなしており、規制片１０２の突出端と対向する後側の側方開口縁との間の距離は、各電線ＥＷの外径寸法よりも小さく設定されている。
【００５８】
一方、左側に配された側部配索路１００は、右側部配索路１００Ｒに比べて前後方向に拡幅された形態とされており、保持部材８０の左側に配された接続バスバ５０および２つの出力バスバ６０から延びる５本の電圧検知線Ｗを、保持部材８０のバスバ保持面８０Ｕから素子対向面８０Ｄ側に向かって配索すると共に、素子対向面８０Ｄ側で折り返された５本の電圧検知線Ｗを再びバスバ保持面８０Ｕに配索する左側部配索路１００Ｌとされている。また、左側部配索路１００Ｌは、右側部配索路１００Ｒを通して素子対向面８０Ｄ側に配された２本の電圧検知線Ｗおよび制御線Ｌをバスバ保持面８０Ｕに向けて配索する。
【００５９】
つまり、左側部配索路１００Ｌには、実質１３本の電線ＥＷが配索されるようになっている。また、左側部配索路１００Ｌを通してバスバ保持面８０Ｕに配索された複数の電圧検知線Ｗおよび制御線Ｌは、保持部材８０の左側上部に配されたコネクタＣＮを通して電池管理用基板Ｐに接続されている。
【００６０】
左側部配索路１００Ｌの側方開口縁１０４には、左側部配索路１００Ｌ内に配される１３本の電線ＥＷが当接することで側方にはみ出すことを規制する一対の規制片１０５が設けられている。
一対の規制片１０５は、前後方向両側に位置する側方開口縁１０４から互いに対向するように開口方向と交差する方向である前後方向に向かって突出した形態をなしており、一対の規制片１０５間の距離は、各電線ＥＷの外径寸法よりも小さく設定されている。
【００６１】
電線配索路１１０は、図５、図６および図８に示すように、保持部材８０の素子対向面８０Ｄにおける前後方向略中央部において、保持部材８０の左右方向の全幅に亘って直線的に形成されている。そして、電線配索路１１０は、接続モジュール３０が蓄電素子群２０に組み付けられると、図３に示すように、隣り合う蓄電素子２１の接合部２６の間に配されるようになっている。
【００６２】
また、電線配索路１１０は、図５、図６および図８に示すように、保持部材８０の左右方向略中央部から保持部材８０の右側端部に亘って設けられた幅狭配索路１１１と、幅狭配索路１１１の左側端部から保持部材８０の左側端部に亘って形成された幅広配索路１１５とを有している。
【００６３】
幅狭配索路１１１は、左右方向略中央部が一部欠落した一対の長側壁１１２と、保持部材８０（素子対向面８０Ｄ）とによって蓄電素子群２０側に開口する逆Ｕ字状に形成されており、幅狭配索路１１１内には、右側部配索路１００Ｒ内を通して素子対向面８０Ｄ側に配索された２本の電圧検知線Ｗと１本の制御線Ｌの合計３本の電線ＥＷが配索されるようになっている。
【００６４】
一対の長側壁１１２は、前後方向に対向するように素子対向面８０Ｄから蓄電素子群２０に向かって延出された形態とされており、保持部材８０の右側に配された２つの接続バスバ保持部８２の間（各接続バスバ保持部８２の前後方向略中央部寄りの挿通孔８４の間）において左右方向に延びた形態に構成されている。一対の長側壁１１２の突出端部には、幅狭配索路１１１内に配索された３本の電線ＥＷが幅狭配索路１１１から蓄電素子群２０側にはみ出すことを規制する複数の規制片１１３が設けられている。
【００６５】
複数の規制片１１３は、幅狭配索路１１１の右後に位置する長側壁１１２と、左前に位置する長側壁１１２とに設けられており、各規制片１１３は、対向する長側壁１１２の突出端部に向かって突出した形態とされている。つまり、幅狭配索路１１１における規制片１１３は、前後方向に交互に設けられている。また、規制片１１３の突出端と対向する長側壁１１２との間の距離は、各電線ＥＷの外径よりも小さく設定されている。
【００６６】
一方、幅広配索路１１５は、幅狭配索路１１１に比べて前後方向に拡幅された形態とされており、左右方向に延びる一対の短側壁１１６と、保持部材８０（素子対向面８０Ｄ）とによって蓄電素子群２０側に開口する逆Ｕ字状に形成されている。幅広配索路１１５内には、左側部配索路１００Ｌを通して素子対向面８０Ｄ側に案内された５本の電圧検知線Ｗが導入されており、幅広配索路１１５内に導入された５本の電圧検知線Ｗは、幅広配索路１１５の右側端部において折り返されて左側部配索路１００Ｌに導出されている。また、幅広配索路１１５内には、幅狭配索路１１１から導入された２本の電圧検知線Ｗと１本の制御線Ｌを左側部配索路１００Ｌに向けて配索している。
【００６７】
つまり、幅広配索路１１５内には、保持部材８０の左側に配された３つのバスバ４０に接続された５本の電圧検知線Ｗの余長を収容することで、実質１３本の電線ＥＷが配索された構成となっている。
【００６８】
一対の短側壁１１６は、前後方向に並列するように素子対向面８０Ｄから蓄電素子群２０に向かって延出した形態とされている。また、一対の短側壁１１６は、保持部材８０の左側に配された接続バスバ保持部８２の一対の挿通孔８４の間に配されている。つまり、電線配索路１１０の幅広配索路１１５は、接続バスバ５０が載置されるバスバ載置部８３の裏側に設けられている。
【００６９】
また、一対の短側壁１１６の間には、素子対向面８０Ｄから蓄電素子群２０に向かって延出された仕切壁１１７が設けられている。仕切壁１１７は、左側部配索路１００Ｌから幅広配索路１１５内に導入された５本の電圧検知線Ｗを折り返す際のガイドとして機能し、幅広配索路１１５内において５本の電圧検知線Ｗが絡まることを抑制できるようになっている。
【００７０】
また、一対の短側壁１１６の突出端部には、幅広配索路１１５内に配索された実質１３本の電線ＥＷが幅広配索路１１５から蓄電素子群２０側にはみ出すことを規制する一対の規制片１１８が設けられている。一対の規制片１１８は、一対の短側壁１１６の左右方向略中央部に設けられている。一対の規制片１１８は、互いに対向するように前後方向に突出した形態をなしており、一対の規制片１１８の突出端間の距離は、各電線ＥＷの外径よりも小さく設定されている。
【００７１】
本実施形態は、以上のような構成であって、続いて、接続モジュール３０の作用および効果について説明する。
近年、車両に搭載するエンジン始動用の低圧の蓄電モジュールは、エンジンルーム内に搭載される機器の増加により、小型化が検討されている。このため、蓄電モジュールにおいてバスバを保持する接続モジュールの小型化も要求されており、接続モジュールにおいてバスバを保持するバスバ保持面の電線の配索スペースの確保が困難となっている。
【００７２】
ところが、本実施形態によると、図２から図６に示すように、保持部材８０において複数のバスバ４０を保持するバスバ保持面８０Ｕの裏側である素子対向面８０Ｄには、複数の電圧検知線Ｗと制御線Ｌとを配索するための電線配索路１１０が設けられている。また、バスバ保持面８０Ｕと素子対向面８０Ｄとの間において複数の電圧検知線Ｗと制御線Ｌとを配索するための一対の側部配索路１００が保持部材８０の側部に設けられている。
【００７３】
すなわち、保持部材８０側部に一対の側部配索路１００を設けると共に、保持部材８０の素子対向面８０Ｄに複数の電線ＥＷを配索する電線配索路１１０を設けているから、保持部材８０のバスバ保持面８０Ｕにおいて複数の電線ＥＷを配索するスペースが確保できない場合においても、接続モジュール３０が大型化することを抑制しつつ、複数の電線ＥＷの配索スペースを確保することができる。
【００７４】
ところで、本実施形態のように、隣り合う蓄電素子２１の接合部２６の間は、本来であればデッドスペースとなってしまう。また、本実施形態のように、隣り合う蓄電素子２１の電極端子２５が側縁部に沿そって配されて溶接などによって接続される接続バスバ５０のバスバ載置部８３の裏側は、本来であればデッドスペースとなってしまう。
【００７５】
ところが、本実施形態によると、図３に示すように、本来であればデッドスペースとなるこれらの領域に電線配索路１１０を設けているから、接続モジュール３０が大型化することを抑制しつつ、複数の電線ＥＷを素子対向面８０Ｄ側に配索することができる。
【００７６】
また、一対の側部配索路１００は、図６および図８に示すように、保持部材８０の側部において側方に開口して形成されている。つまり、例えば、側方に開口を設けないように保持部材に貫通して設けられた丸孔状の側部配索路の場合には、電圧検知線や制御線を先通しするなど保持部材に対して電線を予め配索しておく必要があるところ、本実施形態の側部配索路１００は、側方に開口しているから、保持部材８０に対して複数の電線ＥＷの配索作業を容易にすることができる。また、保持部材８０において各バスバ４０やヒューズ７０を組み付けた後に、電圧検知線Ｗや制御線Ｌを側部配索路１００や電線配索路１１０に組み付けることができるから、組み立て作業性に優れる。
【００７７】
ところで、本実施形態のように、板状の保持部材８０の側部に設けられた側部配索路１００に複数の電線ＥＷを配索する場合、各電線ＥＷを急な角度で屈曲させることになる。このため、電線ＥＷの反力によって電線ＥＷが側部配索路１００からはみ出すことが懸念される。
【００７８】
ところが、本実施形態によると、図５、図６および図８に示すように、各側部配索路１００の開口縁には、開口方向と交差する方向である前後方向に突出して形成された規制片１０２および一対の規制片１０５が設けられているから、これらの規制片１０２、１０５によって、側部配索路１００から電線ＥＷがはみ出すことを規制することができる。
【００７９】
さらに、一対の側部配索路１００は、保持部材８０の左右方向両側縁部に設けられているから、保持部材８０の右側に配された接続バスバ５０の２本の電圧検知線Ｗを右側部配索路１００Ｒに配索することができ、保持部材８０の左側に配された接続バスバ５０および出力バスバ６０の５本の電圧検知線Ｗを左側部配索路１００Ｌに配索することができる。
【００８０】
すなわち、例えば、左右どちらか一方の側部配索路によって全ての電圧検知線を配索する場合に比べて、バスバ保持面８０Ｕにおける電圧検知線Ｗの配索スペースを極力少なくすることができる。これにより、接続モジュール３０が大型化することをさらに抑制することができる。
【００８１】
ところで、一般に、電線の端末において被覆を剥いで芯線を露出させるためには、所定の電線長（最低電線長）を確保する必要がある。しかしながら、最低電線長の電圧検知線を利用する場合、保持部材において必要な電線長よりも電圧検知線が長くなってしまう場合がある。
【００８２】
つまり、本実施形態のように、保持部材８０において左側に配置した接続バスバ５０および出力バスバ６０に接続される電圧検知線Ｗが、図２および図４に示すように、保持部材８０の左側上部に配されたコネクタＣＮに接続される場合、電圧検知線Ｗの電線長は非常に短いものが必要される。しかしながら、最低電線長を確保する為に、電圧検知線Ｗが必要以上に長くなってしまうことで、電圧検知線Ｗの余長を配置するスペースが必要となってしまう。
【００８３】
ところが、本実施形態の電線配索路１１０は、図５および図６に示すように、保持部材８０の左側において生じる複数の電線ＥＷの余長を収容可能な幅広配索路１１５を保持部材８０の左がわに有しているから、電圧検知線Ｗが最低電線長を確保する為に必要以上に長くなる場合においても、電圧検知線Ｗの余長が保持部材８０のバスバ保持面８０Ｕに配索されることを防ぐことができる。これにより、接続モジュール３０が大型化することをさらに抑制することができる。
【００８４】
＜他の実施形態＞
本明細書で開示される技術は上記記述及び図面によって説明した実施形態に限定されるものではなく、例えば次のような種々の態様も含まれる。
（１）上記実施形態では、蓄電素子群２０の蓄電素子２１が前後方向に４つ重なるように並べた構成とした。しかしながら、これに限らず、蓄電素子を５つ以上重ねて並べた蓄電素子群に構成してもよい。
【００８５】
（２）上記実施形態では、蓄電素子群２０の全ての蓄電素子２１を直列に接続する構成とした。しかしながら、これに限らず、一部の蓄電素子を並列に接続した蓄電素子群を構成してもよい。
（３）上記実施形態では、保持部材８０のバスバ保持面８０Ｕにヒューズ７０を配置した構成とした。しかしながら、これに限らず、保持部材のバスバ保持面にヒューズが配置されない構成としてもよい。
【００８６】
（４）上記実施形態では、電線配索路１１０が電圧検知線Ｗの余長を収容する幅広配索路１１５を有する構成とした。しかしながら、これに限らず、電線配索路は、電線の余長を収容しない配索路のみで構成されてもよい。
【符号の説明】
【００８７】
２０：蓄電素子群
２１：蓄電素子
２２：蓄電要素
２３：ラミネートフィルム（「フィルム」の一例）
２４：素子本体
２５：電極端子
２６：接合部
３０：接続モジュール
４０：バスバ
５０：接続バスバ（「バスバ」の一例）
６０：出力バスバ（「バスバ」の一例）
８０：保持部材
８０Ｕ：バスバ保持面
８０Ｄ：素子対向面
１００：側部配索路
１０２，１０５：規制片（「規制部」の一例）
１１０：電線配索路
１１１：幅狭配索路
１１５：幅広配索路
ＥＷ：電線
Ｗ：電圧検知線（「電線」の一例）
【図１】
2020009582.tif 000003
【図２】
2020009582.tif 000004
【図３】
2020009582.tif 000005
【図４】
2020009582.tif 000006
【図５】
2020009582.tif 000007
【図６】
2020009582.tif 000008
【図７】
2020009582.tif 000009
【図８】
2020009582.tif 000010